【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
Ｘ線又は赤外線による身体の撮影方法であって、
被検体（９）が、支持体（１、３、５、７；３１、３４；３０；３２；３３）に受容され、
伝播方向（１０）に沿って、Ｘ線ビーム若しくは光線ビームを放射する光源（１１）により、前記被検体（９）を照射するか、又は照らし、
前記ビームにより照射されるか、若しくは照らされる検出器（１３）により、前記Ｘ線又は前記光線による前記被検体（９）の通過に応じて減衰される光度を検出し、
アナログ−デジタル変換器（１５）により、前記検出された光度を、前記被検体による前記Ｘ線又は前記光線の減衰を求めることができるデータに変換し、
枠（２１、２３、２５）に取り付けられる前記光源（１１）及び前記検出器（１３）に対して、回転軸（１９）を中心として移動可能に取り付けられる支持体（１−７；３１、３４）を、或る回転角度だけ回転させるか、或いは前記支持体（３０、３２）に対して回転軸を中心として移動可能な枠（２２）に取り付けられる前記光源（１１）及び前記検出器（１３）を、或る回転角度だけ回転させ、
適切にプログラムされたコンピュータ（２７）を用いて、
（１）第１の回転角度に対して前記検出器（１３）の帯状領域（７５）で検出される光度を変換して得られるデータを、該帯状領域のｎ個の基本セグメント（７６）の内部でｎ個の平均値（ｃi）にすると共に、
好適には、第１の回転角度とは９０度異なる第２の回転角度に対して前記検出器（１３）の帯状領域（７５）で検出される光度を変換して得られるデータを、該帯状領域のｍ個の基本セグメント（７６）の内部でｍ個の平均値（ρj）にするステップであって、
前記ｎ個の基本セグメントと前記ｍ個の基本セグメントとが、前記回転軸（１９）に垂直な前記対象物（９）の断層面のｎ×ｍ個の基本ゾーンから成るアレイに相当し、
得られた前記ｎ個の平均値と前記ｍ個の平均値とが、それぞれ列生成ベクトルの（ｃi）項と行生成ベクトルの（ρj）項とを構成することによる、平均値を出すステップと、
（２）行列項（Ｂｉｊ）を各基本ゾーンに割り当てることによって、２個の生成ベクトルの項で初期行列（ｎ、ｍ）を形成するステップであって、
前記行列項は、減衰係数を示すと共に、
前記行生成ベクトルの項の数（ｍ）により前記列生成ベクトルの対応項（ｃi）を割ったものと、該列生成ベクトルの項の数（ｎ）により該行生成ベクトルの対応項（ρj）を割ったものとを足して２で割ることにより定義されることによる、初期行列（ｎ、ｍ）を形成するステップと、
【数１】
2009500136.tif 000001
（３）以下の式を用いて、各基本ゾーンの前記減衰係数を調整するステップであって、
【数２】
2009500136.tif 000002
この場合、この式において、
Ｃｉｊ＝アレイの基本ゾーン（ｉ、ｊ）の減衰係数の所望の値、
（ｎ）＝前記初期行列の行の数、
（ｍ）＝前記初期行列の列の数
ρj＝ステップ（１）で計算された行生成ベクトルの第ｊ項
ｃi＝ステップ（１）で計算された列生成ベクトルの第ｉ項
であり、
これにより、前記調整値（Ｃｉｊ）を用いて計算した行及び列の境界値が、各行及び各列に対して前記行生成ベクトル及び前記列生成ベクトルの項にそれぞれ等しい調整行列に対応して、第１の回転角度及び第２の回転角度で被検体の断層面画像を得ることで、各基本ゾーンの前記減衰係数を調整するステップと、
【数３】
2009500136.tif 000003
（４）様々な回転角度の組で取得したデータに対して、前記ステップ（１）〜前記ステップ（３）を繰り返すことによって、異なる回転角度の組での被検体の異なる断層面画像に対応する、異なる調整済み行列をそれぞれ得るステップと、
（５）前記様々な回転角度の組で得られた前記調整行列を、回転演算子で処理するステップであって、
全体を同一組の角度（０度と９０度）に重ね、次いで、該重ねられた調整行列の平均値を一項ずつ出すことにより、前記被検体（９）の前記減衰係数の合成画像を、前記アレイにより求められる精細度で表す合成行列を得てコンピュータにより表示されるようにする、処理するステップとを実施する、
Ｘ線又は赤外線による身体の撮影方法。
【請求項２】
好適には、互いに直交する４組の回転角度（０度と９０度；９０度と１８０度；１８０度と２７０度；２７０度と３６０度）に対して、前記ステップ（１）を行うことにより、
前記４組の回転角度のそれぞれの前記第１の回転角度（０度；９０度；１８０度；２７０度）に対して得られる前記ｎ個の平均値を座標としてそれぞれ有する４個の列生成ベクトルと、前記第２の回転角度（９０度；１８０度；２７０度；３６０度）に対して得られる前記ｍ個の平均値を座標としてそれぞれ有する４個の行生成ベクトルとを形成し、
前記４個の列生成ベクトルと、前記４個の行生成ベクトルとを、回転演算子により処理することによって、
これらを同一組の回転角度（０度と９０度）に重ね、
次いで、該同一組の回転角度（０度と９０度）で重ねられた前記列生成ベクトル及び前記行生成ベクトルの対応項の平均値を一項ずつ出すことにより、単純化された１個の列生成ベクトルと単純化された１個の行生成ベクトルとを形成し、
前記単純化された列生成ベクトル及び前記単純化された行生成ベクトルの項から、前記ステップ（２）を実施し、
前記ステップ（３）を実施することにより、前記調整値（Ｃｉｊ）を用いて計算された行及び列の境界値が、各行及び各列に対して、前記単純化された行生成ベクトル及び前記単純化された列生成ベクトルの項にそれぞれ等しい調整行列を取得し、
前記第１のグループの組の前記回転角度に対して基準角度（１０度）の倍数だけずらした４組の回転角度の異なるグループについて、前記ステップ（４）と前記ステップ（５）を実施する、
請求項１に記載のＸ線又は赤外線による身体の撮影方法。
【請求項３】
前記枠（２１、２３、２５、２２）が、好適には、９０度異なる、軸方向の第１の伝播方向（１０ａ）及び第２の伝播方向（１０ｂ）に沿って、第１のＸ線ビーム又は光線ビーム及び第２のＸ線ビーム又は光線ビームを放射する２個の光源（１１ａ、１１ｂ）と、該第１のビーム及び該第２のビームにより照射されるか、若しくは照らされる２個の検出器（１３ａ、１３ｂ）とを含み、
適切にプログラムされた前記コンピュータ（２７）を用いて、
第１の帯状領域（７５ａ）及び第２の帯状領域（７５ｂ）が延びている前記回転軸（１９）に垂直な前記対象物の前記断層面に対して、
前記第１の検出器（１３ａ）の前記第１の帯状領域（７５ａ）で検出された光度を変換して得られるデータの平均値を出すと共に、
前記第２の検出器（１３ｂ）の前記第２の帯状領域（７５ｂ）で検出された光度を変換して得られるデータの平均値を出すことによって、前記ステップ（１）を実施し、
同期画像を得るために前記２個の検出器（１３ａ、１３ｂ）によって同時に検出される光度を考慮し、非同期画像を得るために前記２個の検出器のいずれか一方によって検出される光度を考慮することによってステップ（２）、ステップ（３）及びステップ（４）を実施する、
請求項１又は２に記載のＸ線又は赤外線による身体の撮影方法。
【請求項４】
前記光源（１１、１１ａ、１１ｂ）の一つ又は複数の制御パルスによって、前記回転軸（１９）に平行に前記被検体（９）の或る範囲を照射するか、若しくは照らすことを特徴とする方法であって、
適切にプログラムされた前記コンピュータ（２７）を用いて、
（６）前記検出器（１３、１３ａ、１３ｂ）の照射された若しくは照らされた前記範囲の全体で検出される光度を変換して得られるデータを記録し、
（７）前記第１の回転角度及び前記第２の回転角度に対して検出器（１３）の照射された若しくは照らされた前記範囲の前記帯状領域（７５）で、又は、それぞれ、前記第１の検出器（１３ａ）及び前記第２の検出器（１３ｂ）の前記第１の帯状領域（７５ａ）及び前記第２の帯状領域（７５ｂ）で検出された光度を変換して得られる記録データを呼び出し、
前記呼び出されたデータに基づいて、前記ステップ（１）〜ステップ（５）を実施する、
請求項１〜３のいずれか一つに記載のＸ線又は赤外線による身体の撮影方法。
【請求項５】
前記光源（１１、１１ａ、１１ｂ）を、円錐ビーム（７１）又は角錐ビーム（７３）として投影することにより、前記被検体（９）の前記範囲、さらには該被検体の全体を照射するか、若しくは照らすことを特徴とする方法であって、
適切にプログラムされた前記コンピュータ（２７）を用いて、
（８）前記円錐ビーム（７１）又は前記角錐ビーム（７３）の幾何学的な頂部（Ｓ）と前記検出器（１３、１３ａ、１３ｂ）との間で、前記ビームの軸方向（１０）に沿った距離（Ｄ）と、前記幾何学的な頂部（Ｓ）と前記検出器（１３、１３ａ、１３ｂ）の照射された若しくは照らされた前記範囲の前記帯状領域（７５、７５ａ、７５ｂ）の基本セグメントとの間の距離（Ｄｓ）とに依存する修正係数で呼び出されたデータを乗じることによって、呼び出されたデータを修正し、
この修正が、前記回転軸（１９）に沿って前記被検物を仮想拡大することに相当し、
呼び出されて修正された前記データに基づいて、前記ステップ（１）〜ステップ（５）を実施する、
請求項４に記載のＸ線又は赤外線による身体の撮影方法。
【請求項６】
前記請求項１若しくは２又は４のいずれか一つに記載の方法を実施するように特別に設計された装置であって、
特に被検体が個人の身体である場合、
前記被検体（９）を受容するための支持体（３１、３４；３２）と、
被検体（９）を照射するか、若しくは照らすために伝播方向に沿ってＸ線ビーム又は光線ビームを放射する光源（１１、１１ａ、１１ｂ）と、
前記Ｘ線又は前記光線による前記被検体（９）の通過に応じて減衰される光度を検出するために、前記ビームによって照射されるか、若しくは照らされる検出器（１３、１３ａ、１３ｂ）とを備え、
前記支持体（３１、３４；３２）が、個人が立った位置又は座った位置で支持体に受容されるように、垂直な回転軸（１９）を中心として前記光源（１１、１１ａ、１１ｂ）及び前記検出器（１３、１３ａ、１３ｂ）に対して回転する台（３１）を有し、
前記支持体（３１、３４；３２）と前記回転台（３１）とが、Ｘ線を通さない小部屋（１６、４２、３７、３８、２５）に配置され、該小部屋において、前記光源（１１、１１ａ、１１ｂ）又は前記検出器（１３、１３ａ、１３ｂ）が、接合モジュール（１２、１２ａ、１２ｂ、１４、１４ａ、１４ｂ）を介してＸ線を放射若しくは受光し、該接合モジュールは、垂直移動手段（２３）によって垂直に並進することにより前記小部屋の壁（３７、３８）に作られた窓（４１）の正面で移動し、また、水平移動手段（２６）によって水平に並進することにより前記窓（４１）を介して移動して前記小部屋に通じる、特別に設計された装置。
【請求項７】
前記台（３１）が、前記個人の固定手段（４６）又はＸ線が透過できる椅子（３４）を備え、
好適には、前記椅子（３４）が、伸縮式の脚部（３３）に取り付けられることを特徴とする、
請求項６に記載の特別に設計された装置。
【請求項８】
前記光源（１１、１１ａ、１１ｂ）及び前記検出器（１３、１３ａ、１３ｂ）が、同期制御される垂直移動手段（４４、４７、４９）により、前記接合モジュール（１２、１２ａ、１２ｂ、１４、１４ａ、１４ｂ）に対して垂直に並進可能である、
請求項６又は７に記載の特別に設計された装置。
【請求項９】
前記窓（４１）を形成する開口部を開放するために、
スライドパネル（３８）が、前記小部屋の門形の枠（３７）内で上昇手段（４４、４７、４９、３６、３９）により群ごとに引き上げられ、
この窓を介して、前記接合モジュール（１２、１２ａ、１２ｂ、１４、１４ａ、１４ｂ）が水平移動することにより、前記小部屋に通じる、
請求項８に記載の特別に設計された装置。
【請求項１０】
請求項３に記載の方法を実施するために特別に設計された装置であって、
特に被検体が個人の身体である場合、
光源（１１）及び検出器（１３）が、２個の光源（１１ａ、１１ｂ）と２個の検出器（１３ａ、１３ｂ）とに分割されることにより、
それぞれ、被検物の断層面を画定しながら前記回転軸（１９）に垂直な平面に延びている該２個の検出器（１３ａ、１３ｂ）の２個の帯状領域（７５ａ、７５ｂ）を照射するか、若しくは照らすために、好適には、２つの直交方向（１０ａ、１０ｂ）に沿って伝播する２個のＸ線ビーム又は光線ビームを形成する、特別に設計された装置。
【請求項１１】
請求項５に記載の方法を実施するために特別に設計された装置であって、
特に、被検体がミリメートル単位又は顕微鏡でしか見えない大きさである場合、
前記被検体（９）を受容するための支持体（３３）と、
前記被検体（９）を照射するか、若しくは照らすために、伝播方向（１０）に沿ってＸ線ビーム又は光線ビームを放射する光源（１１、１１ａ、１１ｂ）と、
前記Ｘ線又は前記光線による前記被検体（９）の通過に応じて減衰される光度を検出するために、前記ビームによって照射されるか、若しくは照らされる検出器（１３、１３ａ、１３ｂ）とを備え、
前記支持体（３３）と、前記光源（１１、１１ａ、１１ｂ）及び前記検出器（１３、１３ａ、１３ｂ）とが、回転軸（１９）を中心として、該支持体が該光源及び該検出器に対して移動可能であり、
前記光源（１１、１１ａ、１１ｂ）が、前記ビームの軸方向（１０）を中心とする円錐ビーム（７１）又は角錐ビーム（７３）によって、前記検出器（１３、１３ａ、１３ｂ）を照射するか、若しくは照らすように、投影手段（６９）が設けられている、特別に設計された装置。
【請求項１２】
前記光源（１１、１１ａ、１１ｂ）が、複数のターゲット（９１）を備えた回転陽極（８９）を有し、
該回転陽極が、前記光源（１１、１１ａ、１１ｂ）に対する前記支持体（３３）の回転と同期される移動手段（Ｍ）によって回転制御されることにより、
前記光源の各パルスが、前記支持体（３３）の各回転の間に、前記検出器（１３、１３ａ、１３ｂ）を照射するか、若しくは照らす、請求項１１に記載の特別に設計された装置。
【請求項１３】
前記検出器（１３、１３ａ、１３ｂ）が、写真フィルム（９７）を有し、
前記アナログ−デジタル変換器（１５）が、該写真フィルムで検出される光度を読み取り、且つ該光度をデジタルデータに変換するためのカメラを含む、請求項６〜１２のいずれか一つに記載の特別に設計された装置。
【請求項１４】
前記写真フィルム（９７）が、前記回転陽極（８９）の回転と同期される移動手段（Ｍ）によって、間欠的に移動することにより、
前記光源（１１）の各パルスが、各間欠移動の間に、前記写真フィルム（９７）を照射するか、若しくは照らす、請求項１３に記載の特別に設計された装置。
【請求項１５】
請求項１〜５のいずれか一つに記載の方法を実施するために適切にプログラムされたコンピュータ（２７）。
【請求項１６】
コンピュータ（２７）へのロード時に、請求項１〜５のいずれか一つに記載の方法を実施するためのコンピュータプログラム。
【手続補正２】
【補正対象書類名】明細書
【補正対象項目名】００３７
【補正方法】変更
【補正の内容】
【００３７】
【数４】
2009500136.tif 000004
【手続補正３】
【補正対象書類名】明細書
【補正対象項目名】０１０８
【補正方法】変更
【補正の内容】
【０１０８】
【数１９】
2009500136.tif 000005
【手続補正４】
【補正対象書類名】明細書
【補正対象項目名】０１１１
【補正方法】変更
【補正の内容】
【０１１１】
【数２０】
2009500136.tif 000006
【手続補正５】
【補正対象書類名】明細書
【補正対象項目名】０１１３
【補正方法】変更
【補正の内容】
【０１１３】
【数２１】
2009500136.tif 000007
【手続補正６】
【補正対象書類名】明細書
【補正対象項目名】０１１７
【補正方法】変更
【補正の内容】
【０１１７】
【数２３】
2009500136.tif 000008
【手続補正７】
【補正対象書類名】明細書
【補正対象項目名】０１１９
【補正方法】変更
【補正の内容】
【０１１９】
【数２４】
2009500136.tif 000009
【手続補正８】
【補正対象書類名】明細書
【補正対象項目名】０１２２
【補正方法】変更
【補正の内容】
【０１２２】
は、ｎ*μ-に等しい。
【手続補正９】
【補正対象書類名】明細書
【補正対象項目名】０１２７
【補正方法】変更
【補正の内容】
【０１２７】
【数２７】
2009500136.tif 000010